(57)【特許請求の範囲】
【請求項１】
複数の鍵を鍵取付部材の鍵取付部に併設した鍵盤装置であって、
前記複数の各鍵が、押鍵操作される鍵本体部と、この各鍵本体部を前記鍵取付部に対して揺動自在に共通に保持する鍵共通保持部と、前記各鍵本体部を前記鍵共通保持部に押離鍵方向に対して揺動自在に保持するための連結部とを有した鍵ユニットからなる鍵盤装置において、
前記鍵ユニットは、前記各鍵が白鍵である白鍵ユニットと、前記各鍵が黒鍵である黒鍵ユニットとに分けて形成され、
前記鍵本体部の長手方向の長さは白鍵の方が黒鍵よりも長く、
前記黒鍵ユニットは、前記連結部の鍵並び方向の全幅を前記黒鍵の鍵本体部の鍵幅よりも広く構成することで、前記連結部によって前記黒鍵の押離鍵時における鍵幅方向の揺動を規制するようにしてなり、
前記白鍵ユニットは、前記連結部の鍵並び方向の全幅を前記黒鍵ユニットの前記連結部の鍵並び方向の全幅より狭く構成するとともに、前記白鍵の自由端側に鍵並び方向の揺動を規制して押離鍵動がガイドされるガイド部を設けたことを特徴とする鍵盤装置。
【請求項２】
複数の鍵を鍵取付部材の鍵取付部に併設した鍵盤装置であって、
前記複数の各鍵が、押鍵操作される鍵本体部と、この各鍵本体部を前記鍵取付部に対して揺動自在に共通に保持する鍵共通保持部と、前記各鍵本体部を前記鍵共通保持部に押離鍵方向に対して揺動自在に保持するための連結部とを有した鍵ユニットからなる鍵盤装置において、
前記鍵ユニットは、前記各鍵が白鍵である白鍵ユニットと、前記各鍵が黒鍵である黒鍵ユニットとに分けて形成され、
前記鍵本体部の長手方向の長さは白鍵の方が黒鍵よりも長く、
前記黒鍵ユニットは、前記連結部の鍵並び方向の全幅を前記黒鍵の鍵本体部の鍵幅よりも広く構成することで、前記連結部によって前記黒鍵の押離鍵時における鍵幅方向の揺動を規制するようにしてなり、
前記白鍵ユニットは、前記連結部が鍵幅方向揺動許容部を有するとともに、前記白鍵の自由端側に鍵並び方向の揺動を規制して押離鍵動がガイドされるガイド部を設けたことを特徴とする鍵盤装置。
【請求項３】
請求項１又は２に記載の鍵盤装置において、
前記黒鍵ユニットの前記連結部に、その一部が隣り合う前記白鍵の前記連結部と互いに重なり合う重なり部を有し、
前記黒鍵の連結部における前記重なり部の一部が白鍵の前記鍵本体部の後端部上面に重なるように構成され、該後端部上面の高さが前記鍵本体部の他の部分よりも低く設定された逃がし部を前記白鍵の前記鍵本体部の後端部に形成し、前記白鍵の上に前記黒鍵を重ねて前記鍵盤装置を構成したとき、前記白鍵の逃がし部に前記黒鍵の連結部の一部が嵌合するようにしたことを特徴とする鍵盤装置。
【請求項４】
請求項１から３のいずれか一項に記載の鍵盤装置において、
前記黒鍵の連結部は押離鍵回動を可能にする薄肉ヒンジ部と該薄肉ヒンジ部より剛性の高い厚肉接続部とからなり、該厚肉接続部は前記黒鍵の鍵本体部の後端部から後方に延設されて前記薄肉ヒンジ部と連設され、該薄肉ヒンジ部を介して前記鍵共通保持部と結合されるように構成したことを特徴とする鍵盤装置。
【請求項５】
請求項１から４のいずれか一項に記載の鍵盤装置において、
前記複数の鍵のそれぞれ下方に設けた駆動部によって駆動される質量体と、その各質量体を取り付ける質量体取付部とを設けたことを特徴とする鍵盤装置。
【発明の詳細な説明】
【技術分野】
【０００１】
この発明は、電子オルガン、電子ピアノ、シンセサイザ等の電子鍵盤楽器あるいは電気鍵盤楽器に用いられる鍵盤装置に関する。
【背景技術】
【０００２】
従来から電子オルガンや電子ピアノ等の電子鍵盤楽器に用いられる鍵盤装置には、例えば特許文献1に見られるような櫛歯型の鍵盤装置がある。この鍵盤装置は、押鍵操作される複数の鍵本体部を、薄肉の連結部を介して鍵並び方向に延びる鍵共通保持部に連結し、それぞれ押鍵方向に揺動自在に保持させるようにし、これらを樹脂で一体成形して櫛歯状の鍵ユニットを形成している。そして、たとえば１オクターブの鍵域ごとに、一つ置きに４個の白鍵からなる白鍵ユニットと、残りの３個の白鍵からなる白鍵ユニットと、５個の黒鍵からなる黒鍵ユニットとに分けて成形し、その各鍵共通保持部を重ね合わせてまとめて鍵盤フレームの鍵取付部に螺子（ネジ）で固定し、それを必要な鍵域分連接して鍵盤装置を構成する。
【０００３】
このように構成すると、鍵盤フレームに支点部を設ける必要がなく、且つ複数の鍵が一体にユニット化されるので部品点数が少なく、組み立て保守も容易であり、製造コスト低減に極めて有効である。
しかし、各鍵の鍵並び方向の位置を規制するとともに押鍵時に横振れしないように、各鍵ごとに鍵ガイドを設ける必要があった。
【０００４】
そこで、特許文献２に見られるように、櫛歯型の鍵盤装置において鍵ガイドを不要にしたものもある。それは、上述したような各鍵ユニットにおける連結部の鍵幅方向の全体幅を鍵本体部の後端の幅よりも広くし、押離鍵方向には充分な可撓性を有しながら、鍵幅方向（横方向）の力に対する断面二次モーメントを大きくする。それによって、鍵ガイドを使用しなくても鍵本体部の鍵幅方向の横振れ（ヨーイング）を規制することができ、鍵盤装置を安価に作製することができる。
【０００５】
また、電子楽器の鍵盤装置においても、ピアノのような自然楽器の鍵タッチ感触に近い重量感のあるタッチ感触が得られるように、各鍵に対応してハンマ等の質量体を備え、そのハンマが各鍵の押鍵動作に連動して揺動し、その動きに応じた力を押鍵力に対する反作用として付与して、所望の押鍵タッチ感触を得るようにしたものも、例えば特許文献３に開示されているように従来から実施されている。
【特許文献１】特開平６−３４２２８１号公報
【特許文献２】特開平７−９２９６３号公報
【特許文献３】特許第２９１７８６３号公報
【発明の開示】
【発明が解決しようとする課題】
【０００６】
しかしながら、特許文献１に見られるような櫛歯型の鍵盤装置では、鍵ごとに鍵ガイドを設ける必要があるため、鍵盤装置全体としては構造の簡素化を充分に実現できず、各鍵ユニットと鍵ガイドとの位置調整にも手間がかかるという問題があった。
そこで、各鍵ユニットを特許文献２に見られるように構成すれば、鍵ガイドを不要にすることはできる。しかし、複数の鍵ユニットの鍵共通保持部を積み重ねて鍵盤装置を組み立てた時に、各鍵の連結部の一部が隣合う鍵の連結部と平面的に重なり合うようにする必要があり、連結部の鍵幅方向の幅を充分広くとる必要がある。さもないと、鍵自由端部に鍵ガイドを設ける必要がでてくる。そのため、各鍵ユニットの形状及び鍵盤構造が複雑になり、成形コストが増加するとともに、設計上の制約も多くなる。
【０００７】
さらに．標準鍵盤より鍵の長さが短いミニ鍵盤であれば、このような構造でも幅広の連結部によって鍵本体部の横振れを充分規制することができるが、標準鍵盤の場合には、鍵本体部の長さが長いため、その幅広の連結部だけでは鍵本体部（特に白鍵）の横振れを充分に規制することは困難であり、グリッサンド奏法などがしにくく演奏性が悪くなるという問題が生じる。
【０００８】
また、特許文献３に見られるような各鍵に連動する質量体を設けた鍵盤装置においては、各鍵の鍵ガイド、鍵スイッチ、鍵と質量体（ハンマ）との連動機構、質量体の上下限ストッパなど、鍵の下側に配設すべき部材が多数あるため、質量体の形状や配置および可動範囲等に多くの制約を受け、所望のタッチ感触が得られる鍵盤装置を安価に提供できるように設計するのは極めて困難であった。
【０００９】
この発明は上記のような種々の問題を解決するためになされたものであり、鍵盤装置の構成要素を削減すると共に組立を簡単にしてローコスト化を図りながら、黒鍵も白鍵もその横振れを確実に規制できるようにし、さらに、各鍵に連動する質量体を設ける場合にも、設計の自由度を高くすることを目的とする。
【課題を解決するための手段】
【００１０】
この発明は、複数の鍵を鍵取付部材の鍵取付部に併設した鍵盤装置であって、その複数の各鍵が、押鍵操作される鍵本体部と、この各鍵本体部を上記鍵取付部に対して揺動自在に共通に保持する鍵共通保持部と、各鍵本体部を鍵共通保持部に押離鍵方向に対して揺動可能に保持するための連結部とを有した鍵ユニットからなる鍵盤装置において、上記の目的を達成するため、次のように構成したことを特徴とする。
上記鍵ユニットは、上記各鍵が白鍵である白鍵ユニットと、上記各鍵が黒鍵である黒鍵ユニットとに分けて形成される。、
【００１１】
そして、上記鍵本体部の長手方向の長さは白鍵の方が黒鍵よりも長く、上記黒鍵ユニットは、上記連結部の鍵並び方向の全幅を黒鍵の鍵本体部の鍵幅よりも広く構成することで、その連結部によって黒鍵の押離鍵時における鍵幅方向の揺動を規制する。
上記白鍵ユニットは、上記連結部の鍵並び方向の全幅を上記黒鍵ユニットの連結部の鍵並び方向の全幅より狭く構成するとともに、上記白鍵の自由端側に鍵並び方向の揺動を規制して押離鍵動がガイドされるガイド部を設ける。
【００１２】
あるいは、上記白鍵ユニットを、上記連結部の鍵並び方向の全幅を上記黒鍵ユニットの連結部の鍵並び方向の全幅より狭く構成する代わりに、またはそのように構成するとと共に、上記連結部が鍵幅方向揺動許容部を有するように構成してもよい。
【００１３】
なお、上記黒鍵の連結部の一部が隣り合う白鍵の連結部と互いに重なり合うように構成することができる。
また、上記白鍵のガイド部を、黒鍵よりも長くてふらつきやすい白鍵の先端部に設けた被ガイド部と、白鍵の先端部に対向する上記鍵取付部側に設けたガイド部材とによって構成するようにすれば、白鍵の先端部でガイドするので鍵のふらつきが発生しない。
【００１４】
あるいは、上記鍵盤装置において、上記各黒鍵の連結部は、その一部が隣合う鍵の連結部と互いに重なり合う重なり部を有し、その重なり部の一部が白鍵の鍵本体部の後端部上面に重なるように構成され、該後端部上面の高さが上記鍵本体部の他の部分よりも低く設定された逃がし部を上記白鍵の鍵本体部の後端部に形成し、白鍵の上に黒鍵を重ねて上記鍵盤装置を構成したとき、上記白鍵の逃がし部に上記黒鍵の連結部の一部が嵌合するようにしてもよい。
【００１５】
これらの鍵盤装置において、黒鍵の連結部は押離鍵回動を可能にする薄肉ヒンジ部と該薄肉ヒンジ部より剛性の高い厚肉接続部とからなり、その厚肉接続部は上記鍵本体部の後端部から後方に延設されて上記薄肉ヒンジ部と連設され、その薄肉ヒンジ部を介して上記鍵共通保持部に結合されるように構成するとよい。
その厚肉接続部が、上記鍵本体部の後端部側面から隣接鍵方向に突設して後方に延設するようにしてもよい。
【００１６】
また、これらの鍵盤装置は、上記複数の鍵のそれぞれ下方に設けた駆動部によって駆動される質量体と、その各質量体を取り付ける質量体取付部とを設けた鍵盤装置であってもよい。
【００１７】
その場合、上記各白鍵および各黒鍵の自由端部側の下方にそれぞれ質量体を駆動する駆動部を設けるのが望ましい。
さらに、上記黒鍵の連結部における上記重なり部の一部が白鍵の上記鍵本体部の後端部上面に重なるようにし、該白鍵の上記鍵本体部の後端部に上面の高さを他の部分より低くした逃がし部を形成し、そこに上記重なり部の一部が重なるようにするとよい。
【発明の効果】
【００１８】
この発明による鍵盤装置は、黒鍵は長手方向の長さが短いので、連結部の幅を広くしてガイド部なしで鍵本体部の鍵幅方向への揺れを規制し、白鍵は長手方向の長さが長いので連結部の幅は広くせず、あるいは上記連結部が鍵幅方向揺動許容部を有し、鍵本体部の自由端側にガイド部を設けてその鍵幅方向への揺れを規制するので、鍵盤装置の構成要素を削減すると共に組立を簡単にしてローコスト化を図りながら、黒鍵も白鍵もその横振れを確実に規制することができる。
【００１９】
また、白鍵の鍵本体部の後端部が黒鍵の連結部の一部と重なるようにすることにより、白鍵の連結部を短くして鍵本体部の剛性を高め、押鍵時に白鍵の鍵本体部が曲がらないようにすることができる。また、白鍵及び黒鍵の鍵本体部を長くすることにつながるので、平行押鍵に近くすることができ弾き易くなる。
そして、白鍵本体部の後端部上面に黒鍵の連結部に対する逃がし部を形成することにより、そのにがし部に上記黒鍵の連結部の一部が嵌合するので、鍵後端部の高さを押えることができる。また、鍵の支点近傍に係る実装設計の自由度を向上させることもできる。
黒鍵の連結部を薄肉ヒンジ部と剛性の高い厚肉接続部とによって構成し、その厚肉接続部を鍵本体部の後端部から後方に延設させて上記薄肉ヒンジ部と連設させ、その薄肉ヒンジ部を介して上記鍵共通保持部に結合させることにより、ヨーイングに対する剛性を高めることができる。
その厚肉接続部を鍵本体部の後端部から隣接鍵方向に突設させることによって、黒鍵に加えられるヨーイング力をさらに強固に規制することができる。
【００２０】
さらに、各鍵に連動する質量体を設ける場合にも、設計の自由度を高くすることができ、所望のタッチ感触が得られるような設計が容易になる。
特に、黒鍵の連結部（ヒンジ部）を幅広にしてガイド部なしでローリングを規制することにより、黒鍵の自由端部付近にガイド部を設けなくてよいので、質量体の駆動部等の必要部品を配設するスペースを容易に確保でき、実装設計の自由度が向上するとともに、鍵及び質量体を組み付け易くなる。そのため、ローコストで質量体付き鍵盤装置を実現することが可能になる。
【発明を実施するための最良の形態】
【００２１】
以下、この発明を実施するための最良の形態を図面に基づいて具体的に説明する。
図１乃至図１０はこの発明の一実施例を示す図であり、図１はこの発明による鍵盤装置を備えた電子楽器の鍵長手方向に沿う概略断面図、図２はその鍵盤装置の１オクターブの鍵域部分の平面図、図３は図１における矢示Ｓ方向から見た正面図、図４は白鍵の自由端側の下面図である。
【００２２】
図５はその鍵盤装置を構成する鍵ユニットのみを、白鍵ユニットを実線で黒鍵ユニットを仮想線で示す平面図である。図６はその鍵ユニットの鍵共通保持部付近を拡大して示す側面図、図７は鍵盤フレームの鍵取付部付近とそこに取り付けられた第１の白鍵ユニットの一部を示す斜視図、図８は黒鍵ユニットの一部を下方から見た斜視図である。
図９は図２に示した鍵盤装置を、鍵ユニットおよびスイッチ基板を取り除いて一部を破断して示す平面図、図１０は黒鍵の質量体駆動部の側面図である。
【００２３】
まず、主に図１に示す電子楽器の構成について説明する。この電子楽器１は、卓上型の電子オルガン、電子ピアノ、シンセサイザ等の電子鍵盤楽器であり、鍵盤装置２と上ケース６０及び下ケース７０と、図示していない電子回路部やスピーカなどからなっている。
鍵盤装置２は、多数の白鍵２０と黒鍵４０を鍵取付部材である鍵盤フレーム１０の鍵取付部１０Ｋに取り付けて併設しており、それぞれ押鍵操作される鍵本体部だけを露出して、上ケース６０と下ケース７０からなるケース内に収納されている。その上ケース６０と下ケース７０は互いに嵌合しており、止めねじ７１および図示していない複数の止めねじによって、鍵支持部材である鍵盤フレーム１０と共に締め付けられて連結されている。
上ケース６０の前面には口棒部６４が設けられ、後部上面には譜面台６２を差し込んで装着するための譜面台装着溝６１が形成されている。下ケース７０の下面の四隅にはゴム足７６が取り付けられている。
【００２４】
その各白鍵２０と黒鍵４０は、例えば図５に示すように１オクターブの鍵域ごとに一組の鍵ユニットＫＵを構成している。その鍵ユニットＫＵは、第１の白鍵ユニットＫＵＷ１と第２の白鍵ユニットＫＵＷ２と黒鍵ユニットＫＵＢとによって構成されている。
第１の白鍵ユニットＫＵＷ１は、１オクターブの外側から一つ置きに４個の全音鍵である白鍵２０（図２に示すＣ，Ｅ，Ｇ，Ｂ鍵）の各鍵本体部２３が、それぞれ連結部２４によって鍵共通保持部２１に押離鍵方向に揺動可能に連結している。
【００２５】
第２の白鍵ユニットＫＵＷ２は、他の一つ置きに３個の全音鍵である白鍵２０（図２に示すＤ，Ｆ，Ａ鍵）の各鍵本体部２３がそれぞれ連結部２４によって鍵共通保持部２２に押離鍵方向に揺動可能に連結している。
黒鍵ユニットＫＵＢは、図５では仮想線で示す５個の半音鍵である黒鍵４０（図２に実線で示すＣ♯，Ｄ♯，Ｆ♯，Ｇ♯，Ａ♯鍵）の各鍵本体部４３がそれぞれ連結部４２によって鍵共通保持部４１に押離鍵方向に揺動可能に連結している。
【００２６】
なお、図５において２３は白鍵２０の鍵本体部を、４３は黒鍵４０の鍵本体部をそれぞれ示しており、その各鍵本体部２３，４３の長手方向の長さは、当然ながら白鍵２０の鍵本体部（以後「白鍵本体部」という）２３の方が黒鍵４０の鍵本体部（以後「黒鍵本体部」という）４３よりも長い。
ここで、「白鍵」と「黒鍵」とは、必ずしも色が「白い鍵」と「黒い鍵」を意味するものではなく、上述のように鍵本体部の上面がフラットで長さが長い方の鍵で、押鍵により全音を発音させるための鍵を「白鍵」と、鍵本体部が白鍵より上方に突出し長さが短い方の鍵で、押鍵により半音を発音させるための鍵を「黒鍵」と、それぞれ便宜上称している。したがって、実際の鍵の白黒が逆であっても、上述した白鍵に相当する形状及び機能を持つ鍵を「白鍵」とし、上述した黒鍵に相当する形状及び機能を持つ鍵を「黒鍵」とする。
【００２７】
これらの第1の白鍵ユニットＫＵＷ１と第２の白鍵ユニットＫＵＷ２と黒鍵ユニットＫＵＢは、図６にも示すように、その各鍵共通保持部２１，２２，４１が、互いに重なり合って鍵共通保持部３０を形成する。その鍵共通保持部３０は、第１の白鍵ユニットＫＵＷ１の鍵共通保持部２１に形成されたレール状の嵌合用突条部２１ｂに、第２の白鍵ユニットＫＵＷ２鍵共通保持部２２に形成された嵌合用凹溝部２２ａが位置決め嵌合され、その鍵共通保持部２２に形成されたレール状の嵌合用突条部２２ｂに黒鍵ユニットＫＵＢの鍵共通保持部４１に形成された嵌合用凹溝部４１ａが位置決め嵌合されて一体化する。
【００２８】
さらに、第１の白鍵ユニットＫＵＷ１の鍵共通保持部２１に形成された嵌合用凹溝２１ａを鍵盤フレーム１０の鍵取付部１０Ｋに形成されたレール状の嵌合用突条部１５に位置決め嵌合させ、鍵共通保持部３０を形成する鍵共通保持部２１，２２，４１の取付孔２６，２６，４４に図１に示す鍵ユニット組み付け用ねじ８２を上方から挿通して、図６に示す鍵取付部１０Ｋの鍵共通保持部取付用ねじ穴１７にねじ込んで組み付けることによって、各鍵共通保持部２１，２２，４１が鍵取付部１０Ｋに共通に取り付けられる。
【００２９】
このようにして、第１の白鍵ユニットＫＵＷ１と第２の白鍵ユニットＫＵＷ２と黒鍵ユニットＫＵＢが、図２に示すように１オクターブ分の鍵ユニットＫＵとして鍵盤フレーム１０上に組み付けられる。この鍵ユニットＫＵを必要な鍵域分だけ鍵並び方向に連接させて組み付けることにより、所要鍵数の鍵盤装置を構成することができる。
【００３０】
ここで、第１，第２の白鍵ユニットＫＵＷ１，ＫＵＷ２の各連結部２４と、黒鍵ユニットＫＵＢの連結部４２の形状などの詳細について、図２及び図５乃至図８によって説明する。
黒鍵ユニットＫＵＢの各黒鍵本体部４３をそれぞれ鍵共通保持部４１に押鍵方向に揺動可能に連結する連結部４２は、図２及び図８に明示されているように、その鍵並び方向の全幅Ｗａが黒鍵本体部４０の鍵幅Ｗｂよりも広く、その一部Ｗｃ，Ｗｄ（Ｗａ，Ｗｂ，Ｗｃ，Ｗｄは図８参照）が隣り合う白鍵２０の連結部２４と互いに重なり合うように幅広に構成され、その連結部４２によって黒鍵４０の押離鍵時における鍵幅方向の揺動を規制するようにしている。
【００３１】
その黒鍵４０の連結部４２は、図６及び図８に明示されているように、押離鍵回動を可能にする薄肉ヒンジ部４２ｂとその薄肉ヒンジ部４２ｂより剛性の高い厚肉接続部４２ａとからなり、その厚肉接続部４２ａは黒鍵本体部４３の後端部４３ｅ（図８）の両側面から隣接鍵方向にぞれぞれ突設して後方に延設し、薄肉ヒンジ部４２ｂに接続されており、さらにその薄肉ヒンジ部４２ｂを介して鍵共通保持部４１へと結合される。その薄肉ヒンジ部４２ｂは、図２及び図８に明示されているように鍵幅方向の中間部に開口４７を形成し、それによって左右の部分に分割されている。
【００３２】
薄肉ヒンジ部４２ｂをこのように形成することにより、押鍵方向の可撓性を高めながら、厚肉接続部４２ａとともに鍵幅方向（横方向）の力に対する断面二次モーメントを大きくして、鍵ガイドを使用しなくても黒鍵本体部４３の鍵幅方向の横振れ（ヨーイング）を充分に規制できるようにしている。
なお、その連結部４２における黒鍵本体部４３の後端部４３ｅの両側面からの厚肉接続部４２ａの突出量は、図２に示すように各黒鍵４０ごとに異なっており、左右均等とは限らないし、各鍵によってもその幅長が異なっている。いずれにしても、黒鍵用連結部としての幅広部は、平均すると一鍵につき１２／５＝２．４鍵分の幅長を有し得ることになり、できる限りその鍵幅方向の全幅を広くとって、黒鍵本体部４３の鍵幅方向の横振れを規制する効果を高めるようにしている。
【００３３】
一方、第１，第２の白鍵ユニットＫＵＷ１，ＫＵＷ２の白鍵本体部２３をそれぞれ鍵共通保持部２１又は２２に押鍵方向に揺動可能に連結する各連結部２４は、図５及び図７に明示されるように、その鍵並び方向の全幅Ｗｅが前述した黒鍵ユニットＫＵＢの連結部４２の鍵並び方向の全幅Ｗａより狭く、白鍵本体部２３の後端部の幅とほぼ同等の幅に形成されている。
【００３４】
その各連結部２４は、図６にも示すように、鍵幅方向に延びる薄肉の水平ヒンジ部２４ａと鍵の長手方向に沿って厚さ方向に延びる垂直ヒンジ部２４ｂとからなり、垂直ヒンジ部２４ｂは図５に明示されているように上方から見て「エ」の字状に形成されている。そして、薄肉の水平ヒンジ部２４ａの前端部が白鍵本体部２３の後端４３ｅに一体に接続し、垂直ヒンジ部２４ｂの後端部が鍵共通保持部２１又は２２に一体に接続されている。
【００３５】
水平ヒンジ部２４ａは、白鍵本体部２３を押鍵方向に揺動可能に支持し、垂直ヒンジ部２４ｂは白鍵本体部２３を鍵幅方向に揺動可能に支持する。したがって、この連結部２４における垂直ヒンジ部２４ｂが鍵幅方向揺動許容部に相当する。
そして、白鍵本体部２３の前端部の鍵並び方向の位置決めと横揺れの規制は、白鍵２０の自由端側に設けた後述するガイド部によって行うようにしている。
【００３６】
垂直ヒンジ部２４ｂの存在理由は、鍵盤フレーム１０及び鍵ユニットＫＵが樹脂で形成されているので、成形時の収縮誤差や熱冷却時の各部のバラツキによって、後述するキーガイド部１２及び／又は被ガイド部３３の位置精度が僅かにバラツクことがあっても、押離鍵時に鍵自由端部でストレスが発生しないようにするためである。
前述のように、黒鍵４０の連結部４２はその鍵幅方向の全幅が黒鍵本体部４３の後端の鍵幅よりも広く、図２及び図５に明示されているように、その一部が隣合う白鍵２０の連結部２４と互いに重なり合う重なり部を有している。
【００３７】
さらに、その連結部４２における上記重なり部の一部として、上述した厚肉接続部４２ａの黒鍵本体部４３の後端部４３ｅの両側面から隣接鍵方向へ突設した部分が、隣接する白鍵２０の鍵本体部２３の後端部上面に重なるようにしている。
また、図６及び図７に示すように、その白鍵本体部２３の後端部の上面２３ａの高さが他の部分より低く設定された逃がし部２５を白鍵本体部２３の後端部に形成している。
そして、第１，第２の白鍵ユニットＫＵＷ１，ＫＵＷ２の上に黒鍵ユニットＫＵＢを重ねて鍵盤装置を構成したとき、その白鍵本体部２３の逃がし部２５に黒鍵４０の連結部４２の一部である厚肉接続部４２ａが嵌合して重なるようにしている。この実施例では、それによって白鍵本体２３の上面２３ａと黒鍵４０の連結部４２の厚肉接続部４２ａの上面とが面一になっている。
【００３８】
このように構成することにより、少なくとも黒鍵４０に対してはガイド部を設けないで済む鍵盤装置において、白鍵２０及び黒鍵４０の各連結部２４，４２によるヒンジ機構が全て白鍵本体２３の上面２３ａより下方に納まるため、高さを押えつつ鍵の支点近傍の実装設計（パネルレイアウト等）の自由度が向上する。さらに、黒鍵４０と白鍵２０の回動支点が上下方向に接近することから、鍵操作性という点からも、より演奏しやすい鍵盤装置が実現する。特に、スケーリング演奏（例えば、Ｃ，Ｃ♯，Ｄ，Ｄ♯，Ｅ，Ｆ，…鍵による）が操作しやすい。
【００３９】
また、鍵盤装置の高さを抑えつつ白鍵本体部２３の厚みを増すことができ、押鍵時に白鍵本体部２３が曲がらないようにすることができる。さらに、白鍵本体部２３を長くすることにより、平行押鍵に近くなるので弾き易くなる。
一方、黒鍵４０についても、連結部４２の厚肉接続部４２ａを高くすることなく充分な厚さを確保することができるので、鍵幅方向への横振れに対する剛性を高めることができる。
【００４０】
図２等に示す把持部ＰＵは、第１の白鍵ユニットＫＵＷ１と第２の白鍵ユニットＫＵＷ２と黒鍵ユニットＫＵＢからなる３段重ねの鍵ユニットＫＵを、鍵盤フレーム１０に取り付けるときに把持する把持部である。そのとき、質量体駆動部２９，４５を質量体５０Ｗ，５０Ｂの主被駆動部５３Ｗ，５３Ｂと副被駆動部５４Ｗ，５４Ｂに嵌合させつつ、鍵盤フレーム１０側の嵌合用突条部１５に鍵側の鍵共通保持部３０を嵌合（mount）させる。
この把持部ＰＵは、最下層の第１の白鍵ユニットＫＵＷ１の鍵共通保持部２１から黒鍵ユニットＫＵＢの連結部４２を構成する２つの薄肉ヒンジ部４２ｂ，４２ｂの間に形成された開口４７（図８参照）を挿通するように突設された水平部ＰＵａと垂直部ＰＵｂからなる把持部として設けられている（図７参照）。
【００４１】
鍵ユニットＫＵの質量体５０Ｗ，５０Ｂ及び鍵盤フレーム１０への組付時において、把持部ＰＵで鍵ユニットＫＵ全体を持ち上げた場合、各鍵ユニットＫＵＷ１，ＫＵＷ２，ＫＵＢがばらけないように仮保持させておく嵌合手段が、各鍵ユニットの基端部である鍵共通保持部２１，２２，４１の幅方向中間部、例えばほぼ中央部に設けられている。具体的にはこの嵌合手段は、図５に示すように第２１の白鍵ユニットＫＵＷ２の鍵共通保持部２２に設けた嵌合孔ｈｏ１と、この嵌合孔ｈｏ１に対応するように黒鍵ユニットＫＵＢの鍵共通保持部４１の下面から下に突出して設けた図示しない突起と、第２の白鍵ユニットＫＵＷ２の鍵共通保持部２２の下面から下に突出して設けた突起Ｐｊと、この突起Ｐｊに対応して設けた第１の白鍵ユニットＫＵＷ１の最下となる鍵共通保持部２１の上面に設けた嵌合孔ｈｏ２とからなる。
【００４２】
なお、この鍵ユニットＫＵは、鍵盤フレーム１０へ仮配設した時に、位置がずれないようにさせておくための仮保持手段としての嵌合手段が、最下層の第１の白鍵ユニットＫＵＷ１の鍵共通保持部２１の下面と鍵盤フレーム１０の嵌合用突条部１５とに設けられている（図示せず）。例えば、鍵共通保持部２１の下面から下方に突設した突起と嵌合用突条部１５に設けた孔とによって、その嵌合手段が構成される。
【００４３】
以上のように構成されているから、最下層の第１の白鍵ユニットＫＵＷ１に設けられた把持部ＰＵを把持するだけで、上述した鍵盤フレーム１０への鍵ユニットＫＵの組付けにとどまらず、保守点検時における鍵ユニットＫＵの鍵盤フレーム１０からの離脱も容易に行なうことができる。従来のように３段重ねの鍵ユニットの各鍵のヒンジ部をすべて幅広にすると、把持部を設けると干渉して設けられなかったがこの発明による鍵盤ユニットでは上述のように工夫して把持部を設けている。
【００４４】
ここで図１に戻って、鍵取付部材である鍵盤フレーム１０とその関連部分の構成について説明する。
この鍵盤フレーム１０は、図１において左下側に位置する前方下側部分と、右下側に位置する後方下側部分と、上側に位置する上方部分と、それらを補強するとともに接続するリブ部とが樹脂によって一体に成形されている。
【００４５】
そして、前方下側部分には、白鍵ガイド１２を一体に形成したガイド支持部１１、白鍵用下限ストッパ保持部１０Ｆ、鍵ユニットスライド面１９、質量体取付部１０Ｇ、および下ケース固定用のボス部１０ｅ〜１０ｇ等が形成されている。後方下側部分には、質量体下限ストッパ保持部１０Ｌと下ケース固定用のボス部１０ｈ等が形成されている。さらに、上方部分には、鍵取付部１０Ｋ、スイッチ基板取付部１０Ｓ、質量体上限ストッパ保持部１０Ｈ、および上部品取付部１０Ｊ等が形成されている。
【００４６】
鍵ユニットスライド面１９は、前述した鍵ユニットＫＵを鍵盤フレーム１０に装着する際に利用される。すなわち、鍵盤フレーム１０の手前側からガイド支持部１１とスイッチ基板８０との間の隙間を通して鍵ユニットＫＵを挿入したとき、各白鍵２０及び黒鍵４０にそれぞれ設けられた後述する質量体駆動部２９，４５の下端面２９ａ，４５ａをその鍵ユニットスライド面１９の傾斜面に当接させて滑らせ、後述する白鍵用質量体５０Ｗ及び黒鍵用質量体５０Ｂの主被駆動部５３Ｗ，５３Ｂと副被駆動部５４Ｗ，５４Ｂとの間に、質量体駆動部２９，４５の嵌合部２９１，４５１を自動的に嵌入させることができる。
【００４７】
そのため、前記嵌合部２９１，４５１の上下面が、主被駆動部５３Ｗ、５３Ｂと副被駆動部５４Ｗ，５４Ｂとの間に嵌入されるので、押離鍵の両方向に鍵と質量体との間で力の伝達がなされる。
上部品取付部１０Ｊには、上ケース６０の上部に収容する操作パネル用基板等の部品を取り付けることができる。
【００４８】
リブ部は、白鍵用下限ストッパ保持部１０Ｆと鍵ユニットスライド面１９の下側のリブ１０ａ、ボス部１０ｆの上側のリブ１０ｂ、質量体取付部１０Ｇの内側のリブ１０ｃ、前方下側部分と後方下側部分と上方部分とを接続するメインのリブ１０ｄとから成っている。これらのリブからなるリブ部は、図２に示すように鍵長手方向に沿って、鍵並び方向に間隔を置いて複数（１オクターブにつき２箇所程度）箇所に設けられている。
【００４９】
白鍵用下限ストッパ保持部１０Ｆの上面には、鍵並び方向に延びる帯状のフエルト材からなる白鍵用下限ストッパ３４が貼着保持されている。質量体下限ストッパ保持部１０Ｌの上面には、図２及び図９にも示されているように、後述する質量体（ハンマ）５０Ｗ，５０Ｂの並び方向に延びる帯状のフェルト材からなる質量体下限ストッパ８４が貼着保持されている。また、質量体上限ストッパ保持部１０Ｈの下面には、図７にも示されるように、質量体５０Ｗ，５０Ｂの並び方向に延びる帯状のフェルト材からなる質量体上限ストッパ８３が貼着保持されている。
【００５０】
ここで、白鍵のガイド部について図２乃至図４も参照して説明する。
鍵盤フレーム１０の前端側上部には、各白鍵の自由端付近に対応する位置に、板状のガイド支持部１１が、図２及び図３に示されているように白鍵２０の並び方向に沿って列設されている。その各ガイド支持部１１の前面から前方へ突出するように、板状の白鍵ガイド１２が垂直に形成されている。このガイド支持部１１と白鍵ガイド１２とは、上方又は下方から見ると図２に破線で示し、図４に仮想線で示すようにＴ字状のガイド部材となっている。
【００５１】
一方、各白鍵２０の自由端側には、その下面図を図４に示すように、白鍵本体部２３の先端部２０ａにはケースに収納された状態で外部から見える部分の前端に外側前端壁３１が設けられており、上面部はそれより僅かに前方へ突出している。その外側前端壁３１より内側に内側前端壁３２が白鍵本体部２３の先端部２０ａの全高さ域に亘って形成されている。その内側前端壁３２の鍵幅方向の中間部に、下端から鍵高さ方向に沿ってスリット３３ａを形成し、互いに前方へ対称的に湾曲して突出する対の被ガイド部３３を形成している。この被ガイド部３３のスリット３３ａの間隙幅を、白鍵ガイド１２の厚さより僅かに大きくしている。
【００５２】
そして、前述した鍵ユニットＫＵが鍵盤フレーム１０に装着されたときに、図２乃至図４に示すように、各白鍵ガイド１２が各白鍵２０の被ガイド部３３のスリット３３ａに嵌入して、各白鍵２０の先端部の位置位置決めと押鍵時の横振れの規制を行う。なお。各白鍵本体２３は前述した連結部２４の垂直ヒンジ部２４ｂの作用で鍵幅方向に揺動可能であるから、多少の製造誤差や組み付け誤差があっても、無理なく各白鍵本体部２３の配列位置を揃えることができ、押離鍵操作もスムーズに行うことができる。この各白鍵ガイド１２と各白鍵２０の被ガイド部３３に潤滑用のグリースを塗布しておくとよい。
【００５３】
再び図１に戻って、鍵盤フレーム１０のスイッチ基板取付部１０Ｓ上にはスイッチ基板８０が、スイッチ基板係止鉤３５によって係止されて取り付けられており、そのスイッチ基板８０上には、各白鍵２０及び黒鍵４０の長手方向の中間部に対応する位置に、図２にも破線で示すように多数の鍵スイッチ８１が列設されている。
【００５４】
この鍵スイッチ８１は、それぞれ合成ゴム製のドーム状の可動部を有し、その可動部に一対の被押圧部（図２に２つの小円形の破線で示されている）とその内側に導電性ゴムによる一対の可動接点を備えており、その各可動接点がスイッチ基板８０上に形成された二組の固定接点と対向して、２接点（２メイク）の鍵スイッチを構成している。そして、白鍵２０又は黒鍵４０の押鍵時に、その下面で可動部が押圧されて一対の可動接点が二組の固定接点に順次接触して各接点をＯＮにし、それが押鍵信号として出力される。また、その各接点がＯＮになったタイミングの時間差によって押鍵速度を検出することができ、その検出した押鍵速度に応じて発生する楽音を制御することができる。
【００５５】
次に、この鍵盤装置２には、各鍵の押鍵時に重量感のあるタッチ感触が得られるように各鍵に連動する質量体（一般にハンマと称されている）を備えているので、それについて図１の他に図２、図９及び図１０も参照して説明する。
各白鍵２０に対しては白鍵用質量体５０Ｗが、各黒鍵４０に対しては黒鍵用質量体５０Ｂが、それぞれ鍵盤フレーム１０の質量体取付部１０Ｇに図１で矢示Ｍ方向に揺動可能に取り付けられている。
【００５６】
その白鍵用質量体５０Ｗと黒鍵用質量体５０Ｂは殆ど同じ構成になっており、揺動被支持部５１Ｗ又は５１Ｂと主被駆動部５３Ｗ又は５３Ｂと副被駆動部５４Ｗ又は５４Ｂとが樹脂によって一体に成形されて、駆動力伝達部を構成している。そして、揺動被支持部５１Ｗ又は５１Ｂに、鉄材等の棒状金属材料による慣性モーメント発生部５２Ｗ又は５２Ｂの前端部をアウトサート成形にて一体化している。
【００５７】
慣性モーメント発生部５２Ｗ及び５２Ｂの後端部は、それぞれ曲げ加工によって上方へ略直角に曲げられ、さらに前方へ戻るように略直角に曲げられており、黒鍵用質量体５０Ｂの慣性モーメント発生部５２Ｂの後端部はコ字状の質量集中部５２Ｂｃを形成している。白鍵用質量体５０Ｗの慣性モーメント発生部５２Ｗの後端部はさらに下方へ略直角に曲げられて、略矩形ループ状の質量集中部５２Ｗｃを形成している。
【００５８】
この質量集中部５２Ｗｃ及び５２Ｂｃは、鍵盤フレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている。慣性モーメント発生部５２Ｗ，５２Ｂにおける質量集中部５２Ｗｃ，５２Ｂｃより前方の部分が質量集中部５２Ｗｃ，５２Ｂｃを前述した駆動力伝達部に連設する連設部となっている。
【００５９】
各質量体５０Ｗ，５０Ｂの揺動被支持部５１Ｗ，５１Ｂには、それぞれ半径方向に凹部を形成するとともにその凹部の下側から後方にガイド舌片Ｑを突設した軸受部１３Ｗ，１３Ｂが設けられている。一方、鍵盤フレーム１０の質量体取付部１０Ｇの上面には、図９にも示すように鍵長手方向に平行に、鍵幅方向に所定の間隔で対向するそれぞれ対の支持リブ１０Ｗ，１０Ｂが一体に立設され、その対の支持リブ間を橋渡しするように回動軸１４Ｗ，１４Ｂが設けられている。質量体取付部１０Ｇには図２に示すように、この回動軸１４Ｗ，１４Ｂを成形する際に型が入り込むための開口３８，４８が形成されている。なお、図１では、対の支持リブ１０Ｗの手前側の支持リブを除去して示している。
【００６０】
そして、各質量体５０Ｗ，５０Ｂの軸受部１３Ｗ，１３Ｂの凹部に回動軸１４Ｗ，１４Ｂを嵌入させることにより、白鍵用質量体５０Ｗが軸受部１３Ｗと回動軸１４Ｗ及び対の支持リブ１０Ｗを介して、黒鍵用質量体５０Ｂが軸受部１３Ｂと回動軸１４Ｂ及び対の支持リブ１０Ｂを介して、それぞれ質量体取付部１０Ｇに揺動可能に軸支される。
この軸支位置すなわち回動軸１４Ｗ，１４Ｂの鍵長手方向の位置は、図２及び図９から分かるようにずれており、白鍵用質量体５０Ｗに対する回動軸１４Ｗの方が黒鍵用質量体５０Ｂに対する回動軸１４Ｂよりも前端寄りになっている。
【００６１】
そして、各白鍵用質量体５０Ｗの前端部には、図１に示されるように主被駆動部５３Ｗと副被駆動部５４Ｗとが、上下方向に間隔を置いて揺動被支持部５１Ｗと一体に設けられており、主被駆動部５３Ｗの方が副被駆動部５４Ｗよりも前方へ突出している。一方、各白鍵２０の図４に示す幅広部の後端部付近の下面に、質量体駆動部２９が図１に示すように下方へ真っ直ぐに突設されている。その質量体駆動部２９の下端面は対応する白鍵用質量体５０Ｗの主被駆動部５３Ｗの上面に当接する。また、その質量体駆動部２９の下部は背面を開口した空洞に形成されており、そこに副被駆動部５４Ｗの前端部が図１に破線で示すように緩く入り込む。
【００６２】
このように構成することによって、白鍵２０が押鍵されたときに質量体駆動部２９が下降して主被駆動部５３Ｗを駆動し、白鍵用質量体５０Ｗを回動軸１４Ｗを支点として図１で反時計方向へ、慣性モーメント発生部５２Ｗの部分Ｃが質量体上限ストッパ８３に当接する仮想線で示す位置まで回動させるので、重量感のあるタッチ感触が与えられる。離鍵時には、質量体駆動部２９の下端内壁が副被駆動部５４Ｗに係合してそれを上昇させるので、白鍵用質量体５０Ｗは回動軸１４Ｗを支点として図１で時計方向へ回動して、質量集中部５２Ｗｃが質量体下限ストッパ８４に当接する実線で示す位置へ速やかに復帰する。
このように、白鍵２０と白鍵用質量体５０Ｗとが常に連動して回動するように、質量体駆動部２９を白鍵用質量体５０Ｗの主被駆動部５３Ｗと副被駆動部５４Ｗとに係合させるようにしている。
【００６３】
各黒鍵用質量体５０Ｂの前端部にも同様に、図１０に仮想線で示す主被駆動部５３Ｂと副被駆動部５４Ｂとが、上下方向に間隔を置いて揺動被支持部５１Ｂ（図９参照）と一体に設けられており、主被駆動部５３Ｂの方が副被駆動部５４Ｂよりも前方へ突出している。一方、各黒鍵４０には図１０に示すように、その前端部の下面に質量体駆動部４５が突設されている。この質量体駆動部４５は、下方、前方、下方とクランク状に曲がって延び、その下端面４５ａを対応する黒鍵用質量体５０Ｂの主被駆動部５３Ｂの上面に当接させ、その鍵長手方向の位置が図９に仮想線で示すように、白鍵用の質量体駆動部２９の下端面と白鍵用質量体５０Ｗの主被駆動部５３Ｗとの当接位置と揃うようにしている。
【００６４】
この質量体駆動部４５の下端部４５ａも背面を開口した空洞に形成されており、そこに副被駆動部５４Ｂの前端部が図１０に仮想線で示すように緩く入り込む。
これによって、上述した白鍵２０と白鍵用質量体５０Ｗの場合と同様に、黒鍵４０と黒鍵用質量体５０Ｂも常に連動して回動する。
【００６５】
そして、この実施例では前述のように質量体駆動部４５を白鍵２０の下方で手前側に延ばして、白鍵２０と黒鍵４０の各質量体駆動部２９，４５による白鍵用質量体５０Ｗと黒鍵用質量体５０Ｂの鍵長手方向の駆動位置を略同じ位置に揃えている。一方、白鍵用質量体５０Ｗと黒鍵用質量体５０Ｂの回動支点となる回動軸１４Ｗと１４Ｂの鍵長手方向の位置は異なって（千鳥状配置になって）いる。
これにより、各質量体駆動部２９，４５によって白鍵用質量体５０Ｗと黒鍵用質量体５０Ｂが駆動される点から回動支点までの距離が、黒鍵用の方が白鍵用より長くなり、黒鍵用質量体５０Ｂの慣性モーメント発生部５２Ｂの回動支点から質量体上限ストッパ８３に当接する部分Ｃまでの距離が、白鍵用質量体５０Ｗの慣性モーメント発生部５２Ｗの回動支点から質量体上限ストッパ８３に当接する部分Ｃまでの距離より短くなるので、白鍵２０と黒鍵４０の押鍵感触のバランスをとることができる。
【００６６】
ここで、この実施例における白鍵用質量体５０Ｗと黒鍵用質量体５０Ｂはまた、前述したように質量集中部５２Ｗｃ及び５２Ｂｃが鍵盤フレーム１０の質量体上限ストッパ保持部１０Ｈよりも鍵長手方向の外方（後方）に突出しており、且つ慣性モーメント発生部５２Ｗ，５２Ｂがそれぞれ質量体上限ストッパ８３に当接する最上昇位置で、その上面が白鍵２０の鍵本体部４３の上面あるいは黒鍵４０の厚肉接続部４２ａの上面と実質的に同一面になるようにしている理由について説明する。
【００６７】
質量体（ハンマ）付きのピアノ系鍵盤装置においては、押鍵タッチ感の実現のために実装スペースとのバランス取りが重要になる。ことに低価格帯の楽器になるほど楽器本体の寸法的制約が大きくなり、鍵盤としての性能を犠牲にしなくてはならない可能性が高くなるので、その中で最大限スペース効率を稼ぐことが必要になる。最低限省略できない部材とその他の機能部品が同じ高さに並ぶことによって、無駄なスペースをなくすことができる。特に重要なのは、質量体（ハンマ）の移動量でほぼユニット高さが決まってしまうことである。
【００６８】
そこで、質量体の質量集中部を鍵盤フレームの質量体上限ストッパ保持部よりも鍵長手方向の外に出してしまうことにより、質量体の等価質量の向上と重量の軽量化およびそれによるコストダウンを同時に図ることが可能になる。
質量感は、質量体の回動支点から重心までの距離の２乗に比例するので、質量集中部は極力回動支点から遠くにあるのが望ましい。そのため、質量集中部を鍵盤フレームから外に出し、さらに、上方へ回動したときにその質量集中部の上端が鍵盤フレームや鍵の最高点と同じ高さになるようにすることによって、タッチ感の向上と実装自由度の確保を高次元で両立させることができる。
【００６９】
また、この実施例では、各質量体５０Ｗ，５０Ｂの質量集中部５２Ｗｃ，５２Ｂｃを、棒状金属部材の後端部を鍵の押離鍵方向の上方に折り曲げ、さらに連設部側に折り曲げて形成しているので、質量体５０Ｗ，５０Ｂの全長を余り長くせずに等価重量を大きくして慣性モーメントを増加し、タッチ感触を高めることができる。しかも、その質量集中部５２Ｗｃ，５２Ｂｃは棒状金属部材の径と同じ幅で押離鍵方向に平行な空間内で折り曲げられているので、隣接鍵の質量体との干渉をさけ、上方のスペースを有効に活用できる。
【００７０】
この質量集中部５２Ｗｃ，５２Ｂｃの折り曲げ形状は、コ字状や方形に限らず、Ｕ字状、三角形、円形、渦巻状など種々の形状にすることができる。
さらに、この実施例では、白鍵用質量体５０Ｗと黒鍵用質量体５０Ｂの質量集中部５２Ｗｃ，５２Ｂｃの実効長（伸ばしたときの長さ＝重量）を異ならせており、それによって白鍵２０と黒鍵４０のタッチ感触を揃えるようにしている。
【００７１】
また、この実施例の鍵盤装置２は、図１で説明したように鍵盤フレーム１０の各部が多くのリブによって支持されて一体に形成されている。そして、そのリブのうちで最も大きいリブ１０ｄの下縁端の少なくとも一部（図１の例では鍵長手方向に沿う中間部）が、各質量体５０Ｗ，５０Ｂが実線で示す最下降状態にあるときの下縁に沿って形成されている。このようにすることによって、鍵盤フレーム１０の下部にできる空間を有効に利用できる。例えば、鍵及び質量体の配列方向（鍵幅方向）に長い機能部品等を容易に配置することができる。
【００７２】
この場合、質量体５０Ｗ，５０Ｂの軸受部１３Ｗ，１３Ｂと質量体取付部１０Ｇ側の回動軸１４Ｗ，１４Ｂとによる回動支点部を、鍵取付部材である鍵盤フレーム１０の最下端から所定の高さ位置に設け、質量体５０Ｗ，５０Ｂのの下部にその移動範囲外の空間を形成しており、その空間の最上部をリブ１０ｄの下縁の一部と一致させるように構成している。さらに、その鍵盤フレーム１０の下端に装着する下ケース７０に上記空間内に入り込む凹陥部を形成して、その凹陥部を機能部材収容部とすることができる。図１に示す例では、凹陥部の一つを電池あるいは電池パックを収容する電池室１８としており、蓋７５を着脱可能に設けている。
【００７３】
このようにすれば、ポータプル型の電子鍵盤楽器の場合には、必要な電池又は電池を内蔵した電池パックを、余分なスペースを設けずに（鍵盤装置の高さ方向の寸法を大きくすることなく）収納できる。
もう一つの凹陥部は機能部品収納部１６とし、ここに鍵並び方向に長い種々の機能部品を収納することを可能にしている。この機能部品収納部１６に、下ケース７０に対して鍵盤フレーム１０を嵌め込む時の仮保持部材を嵌入させたり、コードやマイクなどの付属品を収納することもできる。
【００７４】
その下ケース７０は、止めねじ７２，７３，７４によって鍵盤フレーム１０のボス部１０ｆ，１０ｇ，１０ｈにねじ止めされる。
鍵盤フレーム１０と下ケース７０を一体にして、下ケースの一部に鍵ユニット及び質量体を支持させるようにすることも可能である。
【００７５】
また、鍵取付部材である鍵盤フレーム１０の最下端は、鍵盤フレーム１０の下面の２又は３箇所だけに分散して設けられている。図１に示した例では、ボス部１０ｆと１０ｈの下面だけが鍵盤フレーム１０の最下端であり、他の部分はその最下端より高い位置になっている。例えば、ボス部１０ｇの下面はボス部１０ｆの下面より少し高くなっている。最下端が２箇所の場合は、少なくとも一方がある程度の長さを有する必要がある。
このようにすれば、この鍵盤装置２を、下ケース７０を装着せずに鍵盤楽器の棚板上に直接載置する場合に、ガタつくことなく安定して載置することができる。
【００７６】
この発明は、質量体を備えた鍵盤楽器だけでなく、質量体を備えていない鍵盤楽器にも適用でき、電子鍵盤楽器だけでなく自然発音体を使用する電気鍵盤楽器やその他の鍵盤楽器にも適用可能である。各部の形状や配置などは実施例のものに限定されるものではなく、適用する楽器の仕様に応じて適宜変更し得ることは言うまでもない。
【産業上の利用可能性】
【００７７】
この発明による鍵盤装置は、電子オルガン、電子ピアノ、シンセサイザ等の電子鍵盤楽器あるいは電気鍵盤楽器など、各種の鍵盤楽器に適用できる。特に、各鍵ごとに質量体（ハンマ）を備えた小型の電子鍵盤楽器に適用するのに適し、鍵タッチ感がよく、高性能でコンパクトな電子鍵盤楽器を安価に提供することが可能になる。
【図面の簡単な説明】
【００７８】
【図１】この発明の一実施例である鍵盤装置を備えた電子楽器の鍵長手方向に沿う概略断面図である。
【図２】その鍵盤装置の１オクターブの鍵域部分の平面図である。
【図３】同じくその正面図である。
【図４】その白鍵の自由端側の下面図である。
【図５】その白鍵ユニットを実線で黒鍵ユニットを仮想線で示す鍵ユニットのみの平面図である。
【００７９】
【図６】その鍵ユニットの鍵共通保持部付近を拡大して示す側面図である。
【図７】その鍵盤フレームの鍵取付部付近とそこに取り付けられた第１の白鍵ユニットの一部を示す斜視図である。
【図８】黒鍵ユニットの一部を下方から見た斜視図である。
【図９】図２に示した鍵盤装置を鍵ユニットおよびスイッチ基板を取り除いて一部を破断して示す平面図である。
【図１０】黒鍵の質量体駆動部の側面図である。
【符号の説明】
【００８０】
１…電子楽器、２…鍵盤装置、１０…鍵盤フレーム（鍵取付部材）、１０W，１０B…対の支持リブ、１０Ｆ…白鍵用下限ストッパ保持部、１０Ｇ…質量体取付部、１０Ｋ…鍵取付部、１０Ｈ…質量体上限ストッパ保持部、１０Ｌ…質量体下限ストッパ保持部、１０Ｊ…上部品取付部、１０Ｓ…スイッチ基板取付部、１０ａ〜１０ｄ…リブ、１０ｅ〜１０ｈ…ボス部、１１…ガイド支持部、１２…白鍵ガイド（ガイド部）、１３Ｗ…白鍵用質量体の軸受部、１３Ｂ…黒鍵用質量体の軸受部、１４Ｗ…白鍵用質量体の回動軸、１４Ｂ…黒鍵用質量体の回動軸、１５…嵌合用突条部、１６…機能部品収納部、１７…鍵共通保持部取付用ねじ穴、１８…電池室、１９…鍵ユニットスライド面、
【００８１】
２０…白鍵、２０ａ…白鍵の先端部、２１…白鍵の鍵共通保持部（下）、２１ａ…嵌合用凹溝部、２１ｂ…嵌合用突条部、２２…白鍵の鍵共通保持部（上）、２２ａ…嵌合用凹溝部、２２ｂ…嵌合用突条部、２３…白鍵本体部、２３ａ…白鍵本体部の上面、２４…白鍵の連結部、２４ａ…水平ヒンジ部、２４ｂ…垂直ヒンジ部、２５…逃がし部、２６…取付孔、２９…白鍵の質量体駆動部、３０…鍵共通保持部（全体）、３１…白鍵の外側前端壁、３２…白鍵の内側前端壁、３３…白鍵の被ガイド部、３３ａ…スリット、３４…白鍵用下限ストッパ、３５…スイッチ基板係止鉤、３６，３７…ケース結合用透孔、３８…白鍵用質量体の軸受嵌合孔、
【００８２】
４０…黒鍵、４１…黒鍵の鍵共通保持部、４１ａ…嵌合用凹溝部、４２…黒鍵の連結部、４２ａ…厚肉接続部、４２ｂ…薄肉ヒンジ部、４３…黒鍵鍵本体部、４３ｅ…黒鍵鍵本体部の後端、４４…取付孔、４５…黒鍵の質量体駆動部、４６…ケース結合用透孔、４７…開口、４８…黒鍵用質量体の軸受嵌合孔、５０Ｗ…白鍵用質量体（ハンマ）、５０Ｂ…黒鍵用質量体（ハンマ）、５１Ｗ，５１Ｂ…質量体の揺動被支持部、５２Ｗ，５２Ｂ…質量体の慣性モーメント発生部、５２Ｗｃ，５２Ｂｃ…重量部の質量集中部、５３Ｗ，５３Ｂ…質量体の主被駆動部、５４Ｗ，５４Ｂ…質量体の副被駆動部、
【００８３】
６０…上ケース、６１…譜面台装着溝、６２…譜面台、６４…上ケースの口棒部、７０…下ケース、７１〜７４…止めねじ、７５…電池室の蓋、７６…ゴム足、８０…スイッチ基板、８１…鍵スイッチ（ゴム製可動部を備えたもの）、８２…鍵ユニット組付用ねじ、
８３…質量体上限ストッパ、８４…質量体下限ストッパ
ＫＵ…鍵ユニット、ＫＵＷ１…第１の白鍵ユニット（Ｃ，Ｅ，Ｇ，Ｂ鍵）、
ＫＵＷ２…第２の白鍵ユニット（Ｄ，Ｆ，Ａ鍵）、ＫＵＢ…黒鍵ユニット、
【図１】
0004682943.tif 000002
【図２】
0004682943.tif 000003
【図３】
0004682943.tif 000004
【図４】
0004682943.tif 000005
【図５】
0004682943.tif 000006
【図６】
0004682943.tif 000007
【図７】
0004682943.tif 000008
【図８】
0004682943.tif 000009
【図９】
0004682943.tif 000010
【図１０】
0004682943.tif 000011